(57)【要約】      （修正有）【課題】庭園・屋上・ベランダ等の空間にハンモック支持装置を設定し、該支持装置に物干し機能やブランコ支持具等を美観的に取り付ける。【解決手段】アーク形で半円形状の支持アーク３の複数を平行に配して支持幹を構成して強度を上げ、該支持幹にハンモック１７・ハンガー掛け具・ブランコ支持具・日除け１１等を着脱自在に設ける。【選択図】図１
2010012134.tif 000002
【特許請求の範囲】
【請求項１】
アーク形半円形状に湾曲せしめた支持アークの一対を平行に配して両端部に支持台を取り付けて支持幹を構成し、かつ該支持アークを平行に維持する平行支持具を着脱自在に両側端の所定の高さに取り付けてあり、該平行支持具にハンモックを係止して成るハンモック支持装置。
【請求項２】
平行支持具の高さで支持アークを接続して成る請求項１に記載のハンモック支持装置。
【請求項３】
平行支持具を支持幹に着脱自在に取り付け、かつハンモックを吊せる請求項１又は２に記載のハンモック支持装置のハンモック吊下金具。
【請求項４】
平行な支持アークの所定幅に規定的に架け渡して両端部の留め具の各々を支持アークに着脱自在に係止せしめる請求項１又は２に記載のハンモック支持装置のハンガー掛け具。
【請求項５】
平行な支持アークの所定幅に規定的に掛け渡して両端の留め具で固定して成る請求項１又は２に記載のハンモック支持装置のブランコ支持具。
【請求項６】
周辺が風による揚力を減殺可能な揺れ動く構成としてある請求項１又は２に記載のハンモック支持装置に取り付ける日除け。
【請求項７】
支持幹の所定区間にスライド自在に設ける請求項１又は２に記載のハンモック支持装置の日除け移動装置。
【発明の詳細な説明】
【技術分野】
【０００１】
本発明はスタンド装置に設けたハンモックの吊り下げと日除け等の支持装置に関し、より詳細には庭園或いはベランダ・屋上等に設定可能のハンモック支持装置及び該支持装置の分解組み立て及び該装置に設ける日除け、さらにはハンガー掛け具とブランコ取り付けに関する。
【背景技術】
【０００２】
従来、ハンモックは立ち木、固定した構造体等に係止していた。庭園に適当な立ち木が少ない日本では、マンションのベランダや屋上を活用して、見苦しくなくて、育児にもプラスになる憩いの空間が望ましいが、そのような利用装置の提案は殆どなかった。
【発明の開示】
【発明が解決しようとする課題】
【０００３】
庭園やビルの屋上とか集合住宅のベランダに設定可能のハンモック支持装置の利用で、生活に潤いを得られるはずで、直射日光をさえぎり、かつ風が吹き抜ける涼しさも寝ながら体感できる日除けをハンモックの上に飾ることが望ましい。日除けは強い風にもしなやかに揺れて耐える構造であることが望ましい。
狭いベランダも該支持装置に物干し機能を盛り込み、美観的な外観を提供し、物干し用の取付具を着脱自在とし該支持装置の用途を広くし、育児用にブランコ取付具を提供するとともに庭園にも設定可能にする等の課題がある。
【課題を解決するための手段】
【０００４】
本発明は請求項１において、アーク形で半円形状に湾曲せしめた支持アークの一対を平行に配して、両端部に支持台を取り付けて支持幹を構成し、かつ該支持アークを平行に維持する平行支持具を着脱自在に両側端の所定の高さに取り付けてあり、平行支持具にハンモックを係止して成るハンモック支持装置であり、
請求項２は、平行支持具の高さで支持アークを接続して成る請求項１又は２に記載のハンモック支持装置であり、
請求項３は平行支持具を支持幹に着脱自在に取り付け、かつハンモックを吊せる請求項１又は２に記載のハンモック支持装置のハンモック吊下金具であり、
請求項４は平行な支持アークの所定幅に規定的に掛け渡して両端部の留め具の各々を支持アークに着脱自在に係止せしめる請求項１又は２に記載のハンモック支持装置のハンガー掛け具であり、
請求項５は平行な支持アークの所定幅に規定的に架け渡して両端の締め具で着脱自在に固定して成る請求項１又は２に記載のハンモック支持装置のブランコ支持具であり、
請求項６は周辺が風による揚力を減殺可能な揺れ動く構成として成る請求項１又は２に記載のハンモック支持装置に取り付ける日除けであり、
請求項７は、支持幹の所定区間にスライド自在に設ける請求項１又は２に記載のハンモック支持装置の日除け移動装置である。
【発明の効果】
【０００５】
本発明により、ベランダのある集合住宅は戸外のハンモックでの仮眠が可能となり、物干し場としても利用可能で、活幼児のブランコ遊戯装置も設定可能となり、育児生活が充実する。
そして、平行支持具は平行な支持アークの間隔を規定間隔に維持し、ハンガー掛け具は支持アークの間隔を維持するとともにアーク間においてハンガーを吊せる規定幹を中央に有し回転留め具で着脱自在であるから邪魔なら外せる。
ブランコ支持具は規定長の固定幹の両側に支持アークに締め付ける回転固定具を設けてあり、強力に締め付け可能で着脱自在であるからブランコを吊すことができる。
傘とは異なり日除けは上方に収縮し風にしなやかに変形して強風に際しても揚力発生が小さいので、壊れ難い。
【発明を実施するための最良の形態】
【０００６】
本発明のハンモック支持装置は素材として例えば、硬質の木材或いは金属パイプのアルミ合金、ステンレス鋼等の型材・パイプ等を用いて構成できるが、ベランダに設定するためには運搬に便利であるべく、簡単に分解と組立可能であることが望ましい。
そのため、長い支持アークの分割では組み立て後の強度維持の目的で平行支持具でカバーして強化するのが望ましい。そうすれば、日除け支持具は支持アークの接合部の上方での所定区間をスライド自在である。平行支持具は幅広く設定すべきでハンモックの吊り高さの調節に便利である。
日除けのベースの金具は、傘と異なり開閉操作骨を省略して風に揺れる構造も好ましく、重力で下向きに開き、下からの風力で上方に窄まる構成にもできる。又、開閉操作骨を上方に収縮する構成とし末端をしなやかなヒモ状の素材でループ状に連結しておくと（図５、図６）、操作ループ１１−６を引くことで折り畳めるので収納に便利である。シートを枠に取り付けた日除け枠を支持幹の支持アークに取り付けしなやかに風に揺れるのは心地よいし、編目状の遮光シートの利用も好ましい。
地面上では支持台を大きくするとか、金属板で支持台としたり、両側の支持台の間隔が一定であるように鎖・棒その他で連結しておくのが望ましいし、場合によっては支持台に穿孔したり、固定用の金具で地中に固定するのが望ましい。
上記を１実施例により詳述すると、
【実施例】
【０００７】
図１より図１１において、金属パイプをアーク状半円形に湾曲せしめた支持アーク３の一対を平行に配して支持幹２を構成するが、該支持幹２は両端に支持台４を取り付けて下部を固定してあり、両側の支持アーク３を平行に維持する一対の平行支持具５をハンモック吊下金具６で所定の高さにおいて支持幹２に締め付けて固定してあり、該吊り下げ金具６にハンモック取付具７を係止して成るハンモック支持装置１である。
図３は一対の平行支持具５を吊り下げ金具６で貫通せしめてナット６-1で締め付けてある。接続分解可能の支持アーク３による接続の場合、強度を高めるのに重要な平行支持具５である（図３、４）。
周辺が風に揺れ動き揚力の発生を減殺可能とする日除け１１（図５、６、７）の構成の一例では、中央部の日除けベース１５−３に付け根部分を収納支持する日除け溝１１−３が８本、放射状に上部に刻設してあり、該日除溝１１−３は円溝１１−２と交差させてあって、該円溝には８本の日除骨１１−１を一連的に貫通せしめた金属性連結回動支持線、例えばステンレス・燐青銅線の両端を嵌め入れて結束してある。
従って、該日除骨１１−１は日除ベース１５−３の放射状の日除溝１１−３内において、円溝１１−３内の該回動支持線に回動自在に支持されている。該回動支持線１１−５は円溝内深くに設けてあるので、該日除骨は日除溝から外方に出ないではみ出しが規制されている。
つまり、在来の傘の開閉操作支持骨部材を省いた構造に似ているが、周辺が重力で下方に幾分か垂れるような構成であって柔軟で重い糸又は金属線又はプラスチックチェイン等を巡らせて付着せしめてあり、例えば、該８本の日除骨１１−１の先端にはたとえば、小孔等の係止部が設けてある。日除けカバーの素材は風を通す網・ネットを利用して揚力を減殺させるのが望まれる。
該日除支持棒１５は日除移動装置１０を貫通していて最上部のバネ１５−１が日除押さえ板１３に当接せしめてあり、その上にキャップ１５−２を着装せしめてある。従って該日除け１１はスプリング１５−１の弾力で揺れ歪む日除け１１の周辺１１−４で風圧の逃げ場を創り、揚力の発生を防ぐ。又、図５において、操作骨１１−５は一端が日除骨１１−１の中程に回動自在に取り付けてあり、他端の先端部に柔軟な素材のヒモ状の操作ループ１１−６が通してあって８本の日除骨を揺動自在にループライン内に支持させてあり、該ループを引くと折畳みができる構造である。
更に、該日除支持棒１５は下方において、移動操作具１４の上部より挿入して該操作具内の操作バネ１４−４にはまり、最下端で該操作具１４内の小円盤１４−５に下方よりビス止めされてあって、操作具内を該小円盤とともに上下に動く（図８）。
該移動装置が静止状態では「図９、１０の（イ）」上に上がったゴムクッション１４−１が平行な支持アーク３で構成される支持幹２に操作バネ１４−４で押しつけられる。操作具を下に引けば、移動操作装置を下に降ろすことになり、支持幹より下方に下げて該支持幹につよく当接するゴムクッション１４−１を支持幹より引き離すので「図８、９の（ロ）」、日除け支持装置全体を支持幹に対してスライド移動自在にする（図９、１０、１１）。
この日除けは一様な展開角度にならないで、カバーの各支持骨間にかかる風圧の按配に支配されて、風力の方向が分散されて自在にカバーが揺れ動き揚力を発生しにくくする。
ハンガー掛け具８は両端部がくびれて支持アークに係留し、くびれの内張りに滑り止めとして例えば、弾力的なゴムを利用し、下面に回転留板８−１を設定して回転させれば（図１２）瞬間に着脱できる。
このハンガー掛け具は（図１２）金属の留板８−１で外れ止め作用をするが、多数のハンガーを同一間隔で吊すには金属製（図１３）が適していて、図１４はその展開図の一例で破線は直角に曲げる位置である。
ブランコ支持具９は上部が木製で支持幹２を納めるくぼみを左右に設けてあり、下面に回転留め板８−１が回転固定具２１を中心に固定可能であり、かつ緩めると回転自在に支持していて上部のリング状のつまみ部で回転操作可能である。左右の吊り具２５は下側に突出するつまみの回転操作で上側のナットをゆるめたり、締めたりして回転留め板を操作するが、中央の回転固定具２１と連携操作してブランコ支持具の移動・固定・着・脱が可能である。
ブランコ支持具９の他の一例ではハンガー掛け具の両端のくびれ部分を変形させた回転固定具２１を丁番２３で制止片２２に取り付け、蝶ネジ２４で締め付け可能で（図１７、１８）、吊り具２５にブランコ２０を吊せる（図１５）。
フラットなシートの日除け枠２６はブランコ支持具９の吊り具２５を枠取付具２７に付け替えても取り付け可能である。又、ハンガー掛け具８を木製にすると、図１９、２０に示す形にできる。これは木製の日除け枠２６の溝に支持アーク３を納め、回転留め板８−１で平行な支持アークの双方に固定し、上部の日除枠２７を日除け固定ビス２９で固定可能であり、図２１のように複数のプレーンな日除シート２８を枠で固定できる。
【産業上の利用可能性】
【０００８】
本発明のハンモック支持装置は庭又はベランダ、そして屋上に憩いの空間を創出し、アーチ状の美観的要素で物干し台も好ましい風景とし、幼児用ブランコとしての機能で育児する母親に精神の安らぎを与え、家族の和みと社会の安寧に寄与できる。
【図面の簡単な説明】
【０００９】
各図は本発明による一実施例の概略縮小図で、
【図１】ハンモック支持装置の縮小正面図
【図２】日除けを外した図１の側面図
【図３】接続して構成した支持アークの平行支持具と支持台を取外した状態
【図４】平行支持具の一例の斜視図
【図５】図１の日除骨組の部分側面図
【図６】図１の日除骨組の部分拡大平面略図
【図７】図６の日除け骨組みの中央部の拡大平面図
【図８】日除け移動装置の分解斜視概略図
【図９】移動操作具の部分正面図
【図１０】移動操作具の部分側面図
【図１１】ハンモックを外してハンガー掛け具を取り付けた正面図
【図１２】ハンガー掛け具の一例の斜視図
【図１３】金属製ハンガー掛け具の一例の側面図
【図１４】図１３の金属製ハンガー掛け具の上部の展開図
【図１５】ブランコ支持具の固定時の側面図
【図１６】継目無しハンモック支持装置にブランコを取り付けた正面図
【図１７】ブランコ支持具の他の一例の固定時の側面図
【図１８】ブランコ支持具の取り外し時の側面図である。
【図１９】日除け枠取付具の側面図
【図２０】日除け枠取付具に取付けたシート日除け
【図２１】支持幹への日除けシート取り付け正面図である。
【符号の説明】
【００１０】
１      ハンモック支持装置          ２      支持幹
３      支持アーク                  ４      支持台
５      平行支持具                  ６      吊下金具
６−１  吊下ナット                  ７      ハンモック取付具
８      ハンガー掛け具              ８−１  回転留め板
８−２  係止板                      ８−３  ヘッド
８−４  軸                          ８−５  回転固定具
９      ブランコ支持具            １０      日除移動装置
１１      日除け                    １１−１  日除骨
１１−２  円溝                      １１−３  日除溝
１１−４  周辺                      １１−５  操作骨
１１−６  操作ループ                １２      日除支持盤
１３      日除押さえ板              １４      移動操作具
１４−１  ゴムクッション            １４−２  隙間
１４−３  ベース                    １４−４  操作バネ
１４−５  バネ押さえ                １５      日除け支持棒
１５−１  バネ                      １５−２  キャップ
１５−３  日除けベース              １６      バネ押さえ
１７      ハンモック                １８      ハンガー
１９      回転軸                    ２０      ブランコ
２１      回転固定具                ２２      制止片
２３      丁番                      ２４      蝶ネジ
２５      吊り具                    ２６      日除け枠取付具
２７      日除け枠                  ２８      日除けシート
２９      日除け固定ビス
【図１】
2010012134.tif 000003
【図２】
2010012134.tif 000004
【図３】
2010012134.tif 000005
【図４】
2010012134.tif 000006
【図５】
2010012134.tif 000007
【図６】
2010012134.tif 000008
【図７】
2010012134.tif 000009
【図８】
2010012134.tif 000010
【図９】
2010012134.tif 000011
【図１０】
2010012134.tif 000012
【図１１】
2010012134.tif 000013
【図１２】
2010012134.tif 000014
【図１３】
2010012134.tif 000015
【図１４】
2010012134.tif 000016
【図１５】
2010012134.tif 000017
【図１６】
2010012134.tif 000018
【図１７】
2010012134.tif 000019
【図１８】
2010012134.tif 000020
【図１９】
2010012134.tif 000021
【図２０】
2010012134.tif 000022
【図２１】
2010012134.tif 000023
【手続補正書】
【提出日】平成20年9月3日(2008.9.3)
【手続補正１】
【補正対象書類名】明細書
【補正対象項目名】０００９
【補正方法】変更
【補正の内容】
【０００９】
各図は本発明による一実施例の概略縮小図で、
【図１】ハンモック支持装置の縮小正面図
【図２】日除けを外した図１の側面図
【図３】接続して構成した支持アークの平行支持具と支持第を取り外した状態
【図４】平行支持具の一例の斜視図
【図５】図１の日除け骨組みの無風時の下方に少し垂れた骨組みの部分側面図
【図６】図６は図５の平面略図
【図７】下方から上に風力で吹き上げられた日除け骨が窄まった状態
【図８】日除け移動装置の分解斜視概略図
【図９】移動操作具の部分正面図
【図１０】移動操作具の部分側面図
【図１１】ハンモックを外してハンガー掛け具を取り付けた正面図
【図１２】ハンガ掛け具の一例の斜視図
【図１３】金属製ハンガー掛け具の一例の側面図
【図１４】図１３の金属製ハンガー掛け具の上部の展開図
【図１５】ブランコ支持具の他の一例の固定時の側面図
【図１６】継目無しハンモック支持装置にブランコを取り付けた正面図
【図１７】ブランコ支持ぐの他の一例のの固定時の側面図
【図１８】ブランコ支持具の取り外し時の側面図である
【図１９】日除け枠取り付け具の側面図
【図２０】日除け枠取り付け具に取り付けたシート日除け
【図２１】支持枠への日除けシート取り付け正面図である。
【手続補正２】
【補正対象書類名】図面
【補正対象項目名】図５
【補正方法】変更
【補正の内容】
【図５】
2010012134.tif 000024
【手続補正３】
【補正対象書類名】図面
【補正対象項目名】図６
【補正方法】変更
【補正の内容】
【図６】
2010012134.tif 000025
【手続補正４】
【補正対象書類名】図面
【補正対象項目名】図７
【補正方法】変更
【補正の内容】
【図７】
2010012134.tif 000026
【手続補正書】
【提出日】平成20年9月17日(2008.9.17)
【手続補正１】
【補正対象書類名】特許請求の範囲
【補正対象項目名】全文
【補正方法】変更
【補正の内容】
【特許請求の範囲】
【請求項１】
アーク形半円形状に湾曲せしめた支持アークの一対を平行に配して両端部に支持台を取り付けて支持幹を構成し、かつ該支持アークを平行に維持する平行支持具を着脱自在に両側端の所定の高さに取り付けてあり、該平行支持具にハンモックを係止して成るハンモック支持装置。
【請求項２】
平行支持具の高さで支持アークを接続して成る請求項１に記載のハンモック支持装置。
【請求項３】
平行支持具を支持幹に着脱自在に取り付け、かつハンモックを吊せる請求項１又は２に記載のハンモック支持装置のハンモック吊下金具。
【請求項４】
平行な支持アークの所定幅に規定的に架け渡して両端部の留め具の各々を支持アークに着脱自在に係止せしめる請求項１又は２に記載のハンモック支持装置のハンガー掛け具。
【請求項５】
平行な支持アークの所定幅に規定的に掛け渡して両端の留め具で固定して成る請求項１又は２に記載のハンモック支持装置のブランコ支持具。
【請求項６】
支持幹の所定区間にスライド自在に設ける請求項１又は２に記載のハンモック支持装置の日除け移動装置。
【手続補正２】
【補正対象書類名】明細書
【補正対象項目名】全文
【補正方法】変更
【補正の内容】
【発明の詳細な説明】
【技術分野】
【０００１】
本発明はスタンド装置に設けたハンモックの吊り下げと日除け等の支持装置に関し、より詳細には庭園或いはベランダ・屋上等に設定可能のハンモック支持装置及び該支持装置の分解組み立て及び該装置に設ける日除け、さらにはハンガー掛け具とブランコ取り付けに関する。
【背景技術】
【０００２】
従来、ハンモックは立ち木、固定した構造体等に係止していた。庭園に適当な立ち木が少ない日本では、マンションのベランダや屋上を活用して、見苦しくなくて、育児にもプラスになる憩いの空間が望ましいが、そのような利用装置の提案は殆どなかった。
【発明の開示】
【発明が解決しようとする課題】
【０００３】
庭園やビルの屋上とか集合住宅のベランダに設定可能のハンモック支持装置の利用で、生活に潤いを得られるはずで、直射日光をさえぎり、かつ風が吹き抜ける涼しさも寝ながら体感できる日除けをハンモックの上に飾ることが望ましい。日除けは強い風にもしなやかに揺れて耐える構造であることが望ましい。狭いベランダも該支持装置に物干し機能を盛り込み、美観的な外観を提供し、物干し用の取付具を着脱自在とし該支持装置の用途を広くし、育児用にブランコ取付具を提供するとともに庭園にも設定可能にする等の課題がある。
【課題を解決するための手段】
【０００４】
本発明は請求項１において、アーク形で半円形状に湾曲せしめた支持アークの一対を平行に配して、両端部に支持台を取り付けて支持幹を構成し、かつ該支持アークを平行に維持する平行支持具を着脱自在に両側端の所定の高さに取り付けてあり、平行支持具にハンモックを係止して成るハンモック支持装置であり、
請求項２は、平行支持具の高さで支持アークを接続して成る請求項１又は２に記載のハンモック支持装置であり、
請求項３は平行支持具を支持幹に着脱自在に取り付け、かつハンモックを吊せる請求項１又は２に記載のハンモック支持装置のハンモック吊下金具であり、
請求項４は平行な支持アークの所定幅に規定的に掛け渡して両端部の留め具の各々を支持アークに着脱自在に係止せしめる請求項１又は２に記載のハンモック支持装置のハンガー掛け具であり、
請求項５は平行な支持アークの所定幅に規定的に架け渡して両端の締め具で着脱自在に固定して成る請求項１又は２に記載のハンモック支持装置のブランコ支持具であり、
請求項６は支持幹の所定区間にスライド自在に設ける請求項１又は２に記載のハンモック支持装置の日除け移動装置である。
【発明の効果】
【０００５】
本発明により、ベランダのある集合住宅は戸外のハンモックでの仮眠が可能となり、物干し場としても利用可能で、活幼児のブランコ遊戯装置も設定可能となり、育児生活が充実する。
そして、平行支持具は平行な支持アークの間隔を規定間隔に維持し、ハンガー掛け具は支持アークの間隔を維持するとともにアーク間においてハンガーを吊せる規定幹を中央に有し回転留め具で着脱自在であるから邪魔なら外せる。ブランコ支持具は規定長の固定幹の両側に支持アークに締め付ける回転固定具を設けてあり、強力に締め付け可能で着脱自在であるからブランコを吊すことができる。傘とは異なり日除けは壊れ難い。
【発明を実施するための最良の形態】
【０００６】
本発明のハンモック支持装置は素材として例えば、硬質の木材或いは金属パイプのアルミ合金、ステンレス鋼等の型材・パイプ等を用いて構成できるが、ベランダに設定するためには運搬に便利であるべく、簡単に分解と組立可能であることが望ましい。
そのため、長い支持アークの分割では組み立て後の強度維持の目的で平行支持具でカバーして強化するのが望ましい。そうすれば、日除け支持具は支持アークの接合部の上方での所定区間をスライド自在である。平行支持具は幅広く設定すべきでハンモックの吊り高さの調節に便利である。
シートを枠に取り付けた日除け枠を支持幹の支持アークに取り付けしなやかに風に揺れるのは心地よいし、編目状の遮光シートの利用も好ましい。地面上では支持台を大きくするとか、金属板で支持台としたり、固定できない家屋内などでは両側の支持台の間隔が一定であるように鎖・棒その他で連結しておくのが望ましいし、場合によっては支持台に穿孔したり、固定用の金具で地中に固定するのが望ましい。
上記を１実施例により詳述すると、
【実施例】
【０００７】
図１より図４において、金属パイプをアーク状半円形に湾曲せしめた支持アーク３の一対を平行に配して支持幹２を構成するが、該支持幹２は両端に支持台４を取り付けて下部を固定してあり、両側の支持アーク３を平行に維持する一対の平行支持具５をハンモック吊下金具６で所定の高さにおいて支持幹２に締め付けて固定してあり、該吊り下げ金具６にハンモック取付具７を係止して成るハンモック支持装置１である。
図３は一対の平行支持具５を吊り下げ金具６で貫通せしめてナット６−１で締め付けてある。接続分解可能の支持アーク３による接続の場合、強度を高めるのに重要な平行支持具５である（図３、４）。
ハンガー掛け具８は両端部がくびれて支持アークに係留し、くびれの内張りに滑り止めとして例えば、弾力的なゴムを利用し、下面に回転留板８−１を設定して回転させれば（図６）瞬間に着脱できる。このハンガー掛け具は（図６）金属の留板８−１で外れ止め作用をするが、多数のハンガーを同一間隔で吊すには金属製（図７）が適していて、図８はその展開図の一例で破線は直角に曲げる位置である。
ブランコ支持具９は上部が木製で支持幹２を納めるくぼみを左右に設けてあり、下面に回転留め板８−１が回転固定具２１を中心に固定可能であり、かつ緩めると回転自在に支持していて上部のリング状のつまみ部で回転操作可能である。左右の吊り具２５は下側に突出するつまみの回転操作で上側のナットをゆるめたり、締めたりして回転留め板を操作するが、中央の回転固定具２１と連携操作してブランコ支持具の移動・固定・着・脱が可能である。
ブランコ支持具９の他の一例ではハンガー掛け具の両端のくびれ部分を変形させた回転固定具２１を丁番２３で制止片２２に取り付け、蝶ネジ２４で締め付け可能で（図１１、１２）、吊り具２５にブランコ２０を吊せる（図１０）。
フラットなシートの日除け枠２６はブランコ支持具９の吊り具２５を枠取付具２７に付け替えても取り付け可能である。又ハンガー掛け具８を木製にすると、図１４、１５に示す形にできる。これは木製の日除け枠２６の溝に支持アーク３を納め、回転留め板８−１で平行な支持アークの双方に固定し、上部の日除枠２７を日除け固定ビス２９で固定可能であり、図１５のように複数のプレーンな日除シート２８を枠で固定できる。
【産業上の利用可能性】
【０００８】
本発明のハンモック支持装置は庭又はベランダ、そして屋上に憩いの空間を創出し、アーチ状の美観的要素で物干し台も好ましい風景とし、幼児用ブランコとしての機能で育児する母親に精神の安らぎを与え、家族の和みと社会の安寧に寄与できる。
【図面の簡単な説明】
【０００９】
各図は本発明による一実施例の概略縮小図で、
【図１】ハンモック支持装置の縮小正面図
【図２】図１の側面図
【図３】接続して構成した支持アークの平行支持具と支持台を取外した状態
【図４】平行支持具の一例の斜視図
【図５】ハンモックを外してハンガー掛け具を取り付けた正面図
【図６】ハンガー掛け具の一例の斜視図
【図７】金属製ハンガー掛け具の一例の側面図
【図８】図７の金属製ハンガー掛け具の上部の展開図
【図９】ブランコ支持具の固定時の側面図
【図１０】継目無しハンモック支持装置にブランコを取り付けた正面図
【図１１】ブランコ支持具の他の一例の固定時の側面図
【図１２】ブランコ支持具の取り外し時の側面図である。
【図１３】日除け枠取付具の側面図
【図１４】日除け枠取付具に取付けたシート日除け
【図１５】支持幹への日除けシート取り付け正面図である。
【符号の説明】
【００１０】
１      ハンモック支持装置      ２      支持幹
３      支持アーク              ４      支持台
５      平行支持具              ６      吊下金具
６−１  吊下ナット              ７      ハンモック取付具
８      ハンガー掛け具          ８−１  回転留め板
８−２  係止板                  ８−３  ヘッド
８−４  軸                      ８−５  回転固定具
９      ブランコ支持具        １７      ハンモック
１８      ハンガー              １９      回転軸
２０      ブランコ              ２１      回転固定具
２２      制止片                ２３      丁番
２４      蝶ネジ                ２５      吊り具
２６      日除け枠取付具        ２７      日除け枠
２８      日除けシート          ２９      日除け固定ビス
【手続補正３】
【補正対象書類名】図面
【補正対象項目名】全図
【補正方法】変更
【補正の内容】
【図１】
2010012134.tif 000027
【図８】
2010012134.tif 000028
【図１１】
2010012134.tif 000029
【図２】
2010012134.tif 000030
【図３】
2010012134.tif 000031
【図４】
2010012134.tif 000032
【図５】
2010012134.tif 000033
【図６】
2010012134.tif 000034
【図７】
2010012134.tif 000035
【図９】
2010012134.tif 000036
【図１０】
2010012134.tif 000037
【図１２】
2010012134.tif 000038
【図１３】
2010012134.tif 000039
【図１４】
2010012134.tif 000040
【図１５】
2010012134.tif 000041
【手続補正書】
【提出日】平成21年2月4日(2009.2.4)
【手続補正１】
【補正対象書類名】特許請求の範囲
【補正対象項目名】全文
【補正方法】変更
【補正の内容】
【特許請求の範囲】
【請求項１】
アーク形半円形状に湾曲せしめた支持アークの一対を平行に配して両端部に支持台を取り付けて支持幹を構成し、かつ該支持アークを平行に維持する平行支持具を着脱自在に両側端の所定の高さに取り付けてあり、該平行支持具にハンモックを係止して成るハンモック支持装置。
【請求項２】
平行支持具の高さで支持アークを接続して成る請求項１に記載のハンモック支持装置。
【請求項３】
平行支持具を支持幹に着脱自在に取り付け、かつハンモックを吊せる請求項１又は２に記載のハンモック支持装置のハンモック吊下金具。
【請求項４】
平行な支持アークの所定幅に規定的に架け渡して両端部の留め具の各々を支持アークに着脱自在に係止せしめる請求項１又は２に記載のハンモック支持装置のハンガー掛け具。
【請求項５】
平行な支持アークの所定幅に規定的に掛け渡して両端の留め具で固定して成る請求項１又は２に記載のハンモック支持装置のブランコ支持具。
【請求項６】
支持幹の所定区間にスライド自在に設ける請求項１又は２に記載のハンモック支持装置の日除け移動装置。
【手続補正２】
【補正対象書類名】明細書
【補正対象項目名】全文
【補正方法】変更
【補正の内容】
【発明の詳細な説明】
【技術分野】
【０００１】
本発明はスタンド装置に設けたハンモックの吊り下げと日除け等の支持装置に関し、より詳細には庭園或いはベランダ・屋上等に設定可能のハンモック支持装置及び該支持装置の分解組み立て及び該装置に設ける日除け、さらにはハンガー掛け具とブランコ取り付けに関する。
【背景技術】
【０００２】
従来、ハンモックは立ち木、固定した構造体等に係止していた。庭園に適当な立ち木が少ない日本では、マンションのベランダや屋上を活用して、見苦しくなくて、育児にもプラスになる憩いの空間が望ましいが、そのような利用装置の提案は殆どなかった。
【発明の開示】
【発明が解決しようとする課題】
【０００３】
庭園やビルの屋上とか集合住宅のベランダに設定可能のハンモック支持装置の利用で、生活に潤いを得られるはずで、直射日光をさえぎり、かつ風が吹き抜ける涼しさも寝ながら体感できる日除けをハンモックの上に飾ることが望ましい。日除けは強い風にもしなやかに揺れて耐える構造であることが望ましい。
狭いベランダも該支持装置に物干し機能を盛り込み、美観的な外観を提供し、物干し用の取付具を着脱自在とし該支持装置の用途を広くし、育児用にブランコ取付具を提供するとともに庭園にも設定可能にする等の課題がある。
【課題を解決するための手段】
【０００４】
本発明は請求項１において、アーク形で半円形状に湾曲せしめた支持アークの一対を平行に配して、両端部に支持台を取り付けて支持幹を構成し、かつ該支持アークを平行に維持する平行支持具を着脱自在に両側端の所定の高さに取り付けてあり、平行支持具にハンモックを係止して成るハンモック支持装置であり、
請求項２は、平行支持具の高さで支持アークを接続して成る請求項１又は２に記載のハンモック支持装置であり、
請求項３は平行支持具を支持幹に着脱自在に取り付け、かつハンモックを吊せる請求項１又は２に記載のハンモック支持装置のハンモック吊下金具であり、
請求項４は平行な支持アークの所定幅に規定的に掛け渡して両端部の留め具の各々を支持アークに着脱自在に係止せしめる請求項１又は２に記載のハンモック支持装置のハンガー掛け具であり、
請求項５は平行な支持アークの所定幅に規定的に架け渡して両端の締め具で着脱自在に固定して成る請求項１又は２に記載のハンモック支持装置のブランコ支持具であり、
請求項６は支持幹の所定区間にスライド自在に設ける請求項１又は２に記載のハンモック支持装置の日除け移動装置である。
【発明の効果】
【０００５】
本発明により、ベランダのある集合住宅は戸外のハンモックでの仮眠が可能となり、物干し場としても利用可能で、活幼児のブランコ遊戯装置も設定可能となり、育児生活が充実する。
そして、平行支持具は平行な支持アークの間隔を規定間隔に維持し、ハンガー掛け具は支持アークの間隔を維持するとともにアーク間においてハンガーを吊せる規定幹を中央に有し回転留め具で着脱自在であるから邪魔なら外せる。
ブランコ支持具は規定長の固定幹の両側に支持アークに締め付ける回転固定具を設けてあり、強力に締め付け可能で着脱自在であるからブランコを吊すことができる。
傘とは異なり日除けは上方に収縮し風にしなやかに変形して強風に際しても揚力発生が小さいので、壊れ難い。
【発明を実施するための最良の形態】
【０００６】
本発明のハンモック支持装置は素材として例えば、硬質の木材或いは金属パイプのアルミ合金、ステンレス鋼等の型材・パイプ等を用いて構成できるが、ベランダに設定するためには運搬に便利であるべく、簡単に分解と組立可能であることが望ましい。
そのため、長い支持アークの分割では組み立て後の強度維持の目的で平行支持具でカバーして強化するのが望ましい。そうすれば、日除け支持具は支持アークの接合部の上方での所定区間をスライド自在である。平行支持具は幅広く設定すべきでハンモックの吊り高さの調節に便利である。
日除けのベースの金具は、傘と異なり開閉操作骨を省略して風に揺れる構造も好ましく、重力で下向きに開き、下からの風力で上方に窄まる構成にもできる。又、開閉操作骨を上方に収縮する構成とし末端をしなやかなヒモ状の素材でループ状に連結しておくと（図５、図６）、操作ループ１１−６を引くことで折り畳めるので収納に便利である。シートを枠に取り付けた日除け枠を支持幹の支持アークに取り付けしなやかに風に揺れるのは心地よいし、編目状の遮光シートの利用も好ましい。
地面上では支持台を大きくするとか、金属板で支持台としたり、両側の支持台の間隔が一定であるように鎖・棒その他で連結しておくのが望ましいし、場合によっては支持台に穿孔したり、固定用の金具で地中に固定するのが望ましい。
上記を１実施例により詳述すると、
【実施例】
【０００７】
図１より図１１において、金属パイプをアーク状半円形に湾曲せしめた支持アーク３の一対を平行に配して支持幹２を構成するが、該支持幹２は両端に支持台４を取り付けて下部を固定してあり、両側の支持アーク３を平行に維持する一対の平行支持具５をハンモック吊下金具６で所定の高さにおいて支持幹２に締め付けて固定してあり、該吊り下げ金具６にハンモック取付具７を係止して成るハンモック支持装置１である。
図３は一対の平行支持具５を吊り下げ金具６で貫通せしめてナット６−１で締め付けてある。接続分解可能の支持アーク３による接続の場合、強度を高めるのに重要な平行支持具５である（図３、４）。
周辺が風に揺れ動き揚力の発生を減殺可能とする日除け１１（図５、６、７）の構成の一例では、中央部の日除けベース１５−３に付け根部分を収納支持する日除け溝１１−３が８本、放射状に上部に刻設してあり、該日除溝１１−３は円溝１１−２と交差させてあって、該円溝には８本の日除骨１１−１を一連的に貫通せしめた金属性連結回動支持線、例えばステンレス・燐青銅線の両端を嵌め入れて結束してある。
従って、該日除骨１１−１は日除ベース１５−３の放射状の日除溝１１−３内において、円溝１１−３内の該回動支持線に回動自在に支持されている。該回動支持線１１−５は円溝内深くに設けてあるので、該日除骨は日除溝から外方に出ないではみ出しが規制されている。
つまり、在来の傘の開閉操作支持骨部材を省いた構造に似ているが、周辺が重力で下方に幾分か垂れるような構成であって柔軟で重い糸又は金属線又はプラスチックチェイン等を巡らせて付着せしめてあり、例えば、該８本の日除骨１１−１の先端にはたとえば、小孔等の係止部が設けてある。
日除けカバーの素材は風を通す網・ネットを利用して揚力を減殺させるのが望まれる。
該日除支持棒１５は日除移動装置１０を貫通していて最上部のバネ１５−１が日除押さえ板１３に当接せしめてあり、その上にキャップ１５−２を着装せしめてある。従って該日除け１１はスプリング１５−１の弾力で揺れ歪む日除け１１の周辺１１−４で風圧の逃げ場を創り、揚力の発生を防ぐ。又、図５において、操作骨１１−５は一端が日除骨１１−１の中程に回動自在に取り付けてあり、他端の先端部に柔軟な素材のヒモ状の操作ループ１１−６が通してあって８本の日除骨を揺動自在にループライン内に支持させてあり、該ループを引くと折畳みができる構造である。
更に、該日除支持棒１５は下方において、移動操作具１４の上部より挿入して該操作具内の操作バネ１４−４にはまり、最下端で該操作具１４内の小円盤１４−５に下方よりビス止めされてあって、操作具内を該小円盤とともに上下に動く（図８）。
該移動装置が静止状態では「図９、１０の（イ）」上に上がったゴムクッション１４−１が平行な支持アーク３で構成される支持幹２に操作バネ１４−４で押しつけられる。操作具を下に引けば、移動操作装置を下に降ろすことになり、支持幹より下方に下げて該支持幹につよく当接するゴムクッション１４−１を支持幹より引き離すので「図８、９の（ロ）」、日除け支持装置全体を支持幹に対してスライド移動自在にする（図９、１０、１１）。
この日除けは一様な展開角度にならないで、カバーの各支持骨間にかかる風圧の按配に支配されて、風力の方向が分散されて自在にカバーが揺れ動き揚力を発生しにくくする。
ハンガー掛け具８は両端部がくびれて支持アークに係留し、くびれの内張りに滑り止めとして例えば、弾力的なゴムを利用し、下面に回転留板８−１を設定して回転させれば（図１２）瞬間に着脱できる。
このハンガー掛け具は（図１２）金属の留板８−１で外れ止め作用をするが、多数のハンガーを同一間隔で吊すには金属製（図１３）が適していて、図１４はその展開図の一例で破線は直角に曲げる位置である。
ブランコ支持具９は上部が木製で支持幹２を納めるくぼみを左右に設けてあり、下面に回転留め板８−１が回転固定具２１を中心に固定可能であり、かつ緩めると回転自在に支持していて上部のリング状のつまみ部で回転操作可能である。左右の吊り具２５は下側に突出するつまみの回転操作で上側のナットをゆるめたり、締めたりして回転留め板を操作するが、中央の回転固定具２１と連携操作してブランコ支持具の移動・固定・着・脱が可能である。
ブランコ支持具９の他の一例ではハンガー掛け具の両端のくびれ部分を変形させた回転固定具２１を丁番２３で制止片２２に取り付け、蝶ネジ２４で締め付け可能で（図１７、１８）、吊り具２５にブランコ２０を吊せる（図１５）。
フラットなシートの日除け枠２６はブランコ支持具９の吊り具２５を枠取付具２７に付け替えても取り付け可能である。又ハンガー掛け具８を木製にすると、図１９、２０に示す形にできる。これは木製の日除け枠２６の溝に支持アーク３を納め、回転留め板８−１で平行な支持アークの双方に固定し、上部の日除枠２７を日除け固定ビス２９で固定可能であり、図２１のように複数のプレーンな日除シート２８を枠で固定できる。
【産業上の利用可能性】
【０００８】
本発明のハンモック支持装置は庭又はベランダ、そして屋上に憩いの空間を創出し、アーチ状の美観的要素で物干し台も好ましい風景とし、幼児用ブランコとしての機能で育児する母親に精神の安らぎを与え、家族の和みと社会の安寧に寄与できる。
【図面の簡単な説明】
【０００９】
各図は本発明による一実施例の概略縮小図で、
【図１】ハンモック支持装置の縮小正面図
【図２】日除けを外した図１の側面図
【図３】接続して構成した支持アークの平行支持具と支持台を取外した状態
【図４】平行支持具の一例の斜視図
【図５】図１の日除骨組の部分側面図
【図６】図１の日除骨組の部分拡大平面略図
【図７】図６の日除け骨組みの中央部の拡大平面図
【図８】日除け移動装置の分解斜視概略図
【図９】移動操作具の部分正面図
【図１０】移動操作具の部分側面図
【図１１】ハンモックを外してハンガー掛け具を取り付けた正面図
【図１２】ハンガー掛け具の一例の斜視図
【図１３】金属製ハンガー掛け具の一例の側面図
【図１４】図１３の金属製ハンガー掛け具の上部の展開図
【図１５】ブランコ支持具の固定時の側面図
【図１６】継目無しハンモック支持装置にブランコを取り付けた正面図
【図１７】ブランコ支持具の他の一例の固定時の側面図
【図１８】ブランコ支持具の取り外し時の側面図である。
【図１９】日除け枠取付具の側面図
【図２０】日除け枠取付具に取付けたシート日除け
【図２１】支持幹への日除けシート取り付け正面図である。
【符号の説明】
【００１０】
１  ハンモック支持装置            ２  支持幹
３  支持アーク                    ４  支持台
５  平行支持具                    ６  吊下金具
６−１  吊下ナット                ７  ハンモック取付具
８  ハンガー掛け具                ８−１  回転留め板
８−２  係止板                    ８−３  ヘッド
８−４  軸                        ８−５  回転固定具
９  ブランコ支持具                １０  日除移動装置
１１  日除け                      １１−１  日除骨
１１−２  円溝                    １１−３  日除溝
１１−４  周辺                    １１−５  操作骨
１１−６  操作ループ
１２  日除支持盤
１３  日除押さえ板                １４  移動操作具
１４−１  ゴムクッション          １４−２  隙間
１４−３  ベース                  １４−４  操作バネ
１４−５  バネ押さえ
１５  日除け支持棒                １５−１  バネ
１５−２  キャップ                １５−３  日除けベース
１６  バネ押さえ                  １７  ハンモック
１８  ハンガー                    １９  回転軸
２０  ブランコ                    ２１  回転固定具
２２  制止片                      ２３  丁番
２４  蝶ネジ                      ２５  吊り具
２６  日除け枠取付具              ２７  日除け枠
２８  日除けシート                ２９  日除け固定ビス
【手続補正３】
【補正対象書類名】図面
【補正対象項目名】全図
【補正方法】変更
【補正の内容】
【図１】
2010012134.tif 000042
【図２】
2010012134.tif 000043
【図３】
2010012134.tif 000044
【図４】
2010012134.tif 000045
【図５】
2010012134.tif 000046
【図６】
2010012134.tif 000047
【図７】
2010012134.tif 000048
【図８】
2010012134.tif 000049
【図９】
2010012134.tif 000050
【図１０】
2010012134.tif 000051
【図１１】
2010012134.tif 000052
【図１２】
2010012134.tif 000053
【図１３】
2010012134.tif 000054
【図１４】
2010012134.tif 000055
【図１５】
2010012134.tif 000056
【図１６】
2010012134.tif 000057
【図１７】
2010012134.tif 000058
【図１８】
2010012134.tif 000059
【図１９】
2010012134.tif 000060
【図２０】
2010012134.tif 000061
【図２１】
2010012134.tif 000062